(57)【要約】【課題】  浴水を昇温するときに、ユーザの不快感を抑制しつつエネルギー消費効率を向上することが可能な給湯装置を提供すること。【解決手段】  制御装置２００は、浴槽５０内の浴水を昇温するときに、操作盤１００から入力された貯湯モードに応じて、省エネルギー志向が強いユーザであると判断した場合には、注湯回路１７Ａを作動して省エネルギー性に優れる差し湯による昇温を行なう。また、省エネルギー志向が弱いユーザであると判断した場合には、追い焚き回路６０Ａを作動して浴水量を増加させない追い焚きにより昇温を行なう。【選択図】        図１
2006308178.tif 000002
【特許請求の範囲】
【請求項１】
水を加熱して湯とする加熱手段（２）と、
前記加熱手段（２）が加熱した湯を内部に貯える貯湯タンク（１）と、
前記貯湯タンク（１）内の湯と浴槽（５０）内の浴水とを熱交換して前記浴槽（５０）内の浴水を追い焚きする追い焚き手段（６０Ａ）と、
前記貯湯タンク（１）内の湯を前記浴槽（５０）内に供給して差し湯する差し湯手段（１７Ａ）と、
前記浴槽（５０）内の浴水を昇温するときに、前記追い焚き手段（６０Ａ）を作動して前記浴槽（５０）内の浴水を追い焚きする追い焚き制御（６３０）と、前記差し湯手段（１７Ａ）を作動して前記浴槽（５０）内に差し湯する差し湯制御（６４０）とのいずれかを実行する制御手段（２００）とを備える給湯装置であって、
前記制御手段（２００）は、前記浴槽（５０）内の浴水を昇温するときに、省エネルギー性を重視する設定状態であると判断した場合には前記差し湯制御（６４０）を実行し、省エネルギー性を重視する設定状態でないと判断した場合には前記追い焚き制御（６３０）を実行することを特徴とする給湯装置。
【請求項２】
前記制御手段（２００）に対し給湯に関連する制御条件を操作入力する操作入力手段（１００）を備え、
前記制御手段（２００）は、前記操作入力手段（１００）から入力された制御条件のうち、省エネルギーもしくはそれに関連する制御条件に基づいて、前記省エネルギー性を重視する設定状態であるか否かを判断することを特徴とする請求項１に記載の給湯装置。
【請求項３】
前記制御手段（２００）は、前記操作入力手段（１００）から入力される前記貯湯タンク（１）内に貯湯する熱量に関する制御条件を、前記省エネルギーに関連する制御条件とすることを特徴とする請求項２に記載の給湯装置。
【請求項４】
前記制御手段（２００）は、前記省エネルギーもしくはそれに関連する制御条件に加え、過去の使用エネルギー量の実績値と現在の使用エネルギー量との比較に基づいて、前記省エネルギー性を重視する設定状態であるか否かを判断することを特徴とする請求項２または請求項３に記載の給湯装置。
【請求項５】
前記制御手段（２００）は、過去の使用エネルギー量の実績値と現在の使用エネルギー量との比較に基づいて、前記省エネルギー性を重視する設定状態であるか否かを判断することを特徴とする請求項１に記載の給湯装置。
【発明の詳細な説明】
【技術分野】
【０００１】
本発明は、貯湯タンク内に貯留した湯により浴槽内の浴水の昇温を行なうことが可能な給湯装置に関する。
【背景技術】
【０００２】
従来技術として、下記特許文献１に開示された給湯装置がある。この給湯装置では、浴槽内の浴水を昇温するときには、貯湯タンク内の湯の温度が所定温度より高い場合には貯湯タンク内の湯と浴水との熱交換（所謂追い焚き）を行ない、貯湯タンク内の湯の温度が所定温度より低い場合には貯湯タンク内の湯を浴槽内に供給（所謂差し湯）するようになっている。
【特許文献１】特開２００３−５００４８号公報
【発明の開示】
【発明が解決しようとする課題】
【０００３】
しかしながら、上記従来技術の追い焚きと差し湯との切り替え制御は、貯湯熱量不足に陥らないための対策制御であり、省エネルギーに関する考慮はされていない。
【０００４】
浴槽内の浴水を昇温するときに、例えば図８（ａ）に示すように、貯湯タンク１内の湯と浴水とを熱交換器６０により熱交換していくと、図８（ｂ）に示すように、熱交換器６０周辺の湯温が低下し、貯湯タンク１内の上部ほど高温とする温度分布が乱れる。
【０００５】
このように温度分布が乱れると、ＣＯＰ（エネルギー消費効率）が低下することが知られている。すなわち、追い焚きによる昇温では、省エネルギー性が低下することが知られている。
【０００６】
これに対し、浴槽内の浴水を昇温するときに、例えば図９（ａ）に示すように、貯湯タンク１内の湯を浴槽内に注湯していくと、図９（ｂ）に示すように、上部の湯から順次出湯していくので、貯湯タンク１内の温度分布が乱れは発生しない。したがって、ＣＯＰの低下は見られない。反面、差し湯による昇温では浴水が増加する。
【０００７】
一般的に、熱交換による追い焚き機能を備える給湯装置のユーザは、浴水の昇温は追い焚きにより行なわれるものと認識している場合が多く、浴水の昇温に伴ない浴槽内の水位（浴槽水量）が上昇すると不快を感じる場合があるという問題がある。
【０００８】
一方、追い焚きによる昇温は、浴槽内の水位に変化はないがＣＯＰを低下させる。熱交換による追い焚き機能を備える給湯装置のユーザであっても、差し湯による昇温が追い焚きによる昇温より省エネルギー性に優れることを知る省エネルギー志向のユーザは、追い焚きにより浴水の昇温が行なわれたときには不快を感じる場合があるという問題がある。
【０００９】
本発明は、上記点に鑑みてなされたものであり、浴水を昇温するときに、ユーザの不快感を抑制しつつエネルギー消費効率を向上することが可能な給湯装置を提供することを目的とする。
【課題を解決するための手段】
【００１０】
上記目的を達成するため、請求項１に記載の発明では、
水を加熱して湯とする加熱手段（２）と、
加熱手段（２）が加熱した湯を内部に貯える貯湯タンク（１）と、
貯湯タンク（１）内の湯と浴槽（５０）内の浴水とを熱交換して浴槽（５０）内の浴水を追い焚きする追い焚き手段（６０Ａ）と、
貯湯タンク（１）内の湯を浴槽（５０）内に供給して差し湯する差し湯手段（１７Ａ）と、
浴槽（５０）内の浴水を昇温するときに、追い焚き手段（６０Ａ）を作動して浴槽（５０）内の浴水を追い焚きする追い焚き制御（６３０）と、差し湯手段（１７Ａ）を作動して浴槽（５０）内に差し湯する差し湯制御（６４０）とのいずれかを実行する制御手段（２００）とを備える給湯装置であって、
制御手段（２００）は、浴槽（５０）内の浴水を昇温するときに、省エネルギー性を重視する設定状態であると判断した場合には差し湯制御（６４０）を実行し、省エネルギー性を重視する設定状態でないと判断した場合には追い焚き制御（６３０）を実行することを特徴としている。
【００１１】
これによると、制御手段（２００）は、省エネルギー性を重視する設定がなされていると判断した場合には、省エネルギー性に優れる差し湯により浴槽（５０）内の浴水を昇温し、省エネルギー性を重視する設定がなされていないと判断した場合には、浴槽（５０）内の水位を上昇させない追い焚きにより浴水を昇温する。
【００１２】
したがって、省エネルギー志向のユーザが追い焚き昇温により不快を感じたり、比較的省エネルギー志向ではないユーザが差し湯昇温により不快を感じたりすることを防止でき、ユーザが不快を感じない範囲で省エネルギーを図ることができる。
【００１３】
このようにして、浴水を昇温するときに、ユーザの不快感を抑制しつつエネルギー消費効率を向上することが可能である。
【００１４】
また、請求項２に記載の発明では、
制御手段（２００）に対し給湯に関連する制御条件を操作入力する操作入力手段（１００）を備え、
制御手段（２００）は、操作入力手段（１００）から入力された制御条件のうち、省エネルギーもしくはそれに関連する制御条件に基づいて、省エネルギー性を重視する設定状態であるか否かを判断することを特徴としている。
【００１５】
これによると、制御手段（２００）は、操作入力手段（１００）での操作入力において、省エネルギーもしくはそれに関連する制御条件が入力された場合には省エネルギー性を重視する設定がなされているものとし、省エネルギーもしくはそれに関連する制御条件が入力されていない場合には省エネルギー性を重視する設定がなされていないものとすることができる。
【００１６】
すなわち、操作入力手段（１００）での操作入力において、省エネルギーもしくはそれに関連する制御条件が入力された場合にはユーザは省エネルギー志向であるとし、省エネルギーもしくはそれに関連する制御条件が入力されていない場合にはユーザは比較的省エネルギー志向でないとして、差し湯昇温と追い焚き昇温とを切り替えることができる。
【００１７】
また、請求項３に記載の発明では、制御手段（２００）は、操作入力手段（１００）から入力される貯湯タンク（１）内に貯湯する熱量に関する制御条件を、省エネルギーに関連する制御条件とすることを特徴としている。
【００１８】
これによると、制御手段（２００）は、操作入力手段（１００）から入力される貯湯タンク（１）内に貯湯する熱量制御条件に基づいて、容易にユーザが省エネルギー志向であるか否かを判断し、差し湯昇温と追い焚き昇温とを切り替えることができる。
【００１９】
また、請求項４に記載の発明では、制御手段（２００）は、操作入力手段（１００）から入力された省エネルギーもしくはそれに関連する制御条件に加え、過去の使用エネルギー量の実績値と現在の使用エネルギー量との比較に基づいて、省エネルギー性を重視する設定状態であるか否かを判断することを特徴としている。
【００２０】
これによると、制御手段（２００）は、ユーザが省エネルギー志向であるとともに、現在の使用エネルギー量が過去の使用エネルギー量の実績値との比較において多量であると判断した場合に、省エネルギー性を重視して差し湯昇温を行なうことが可能である。
【００２１】
また、請求項５に記載の発明では、請求項１に記載の発明において、制御手段（２００）は、過去の使用エネルギー量の実績値と現在の使用エネルギー量との比較に基づいて、省エネルギー性を重視する設定状態であるか否かを判断することを特徴としている。
【００２２】
これによると、制御手段（２００）は、現在の使用エネルギー量が過去の使用エネルギー量の実績値との比較において多量であると判断した場合に、省エネルギー性を重視して差し湯昇温を行なうことが可能である。
【００２３】
なお、上記各手段に付した括弧内の符号は、後述する実施形態記載の具体的手段との対応関係を示す一例である。
【発明を実施するための最良の形態】
【００２４】
以下、本発明の実施の形態を図に基づいて説明する。
【００２５】
（第１の実施形態）
図１は、本発明を適用した第１の実施形態における貯湯式の給湯装置の概略構成を示す模式図である。
【００２６】
１は耐食性に優れた金属製（例えばステンレス製）の貯湯タンクであり、外周部に図示しない断熱材が配置されており、高温の給湯用水を長時間に渡って保温することができるようになっている。貯湯タンク１は縦長形状であり、その底面には導入口１１が設けられ、この導入口１１には貯湯タンク１内に水道水を導入する導入管（給水経路に相当）１２が接続されている。
【００２７】
導入管１２には図示しない温度検出手段である給水サーミスタと流量検出手段である流量カウンタが設けられており、導入管１２内の温度情報および流量情報を後述する制御装置２００に出力するようになっている。
【００２８】
また、導入管１２には図示しない減圧弁が設けられており、貯湯タンク１内に水道水が穏やかに導入されるようになっている。導入管１２の減圧弁、給水サーミスタおよび流量カウンタが設けられた位置より下流側と後述する混合弁１６とは給水配管１５により繋がれている。
【００２９】
一方、貯湯タンク１の最上部には導出口１３が設けられ、導出口１３には貯湯タンク１内の高温の湯を導出するための導出管（出湯経路に相当）１４が接続されている。１６は混合弁であり、導出管１４と給水配管１５との合流点に配置されている。そして、混合弁１６は開口面積比を調節することにより、導出管１４からの高温の湯と給水配管１５からの水道水との混合比を調節できるようになっている。混合弁１６の出口側には浴槽５０への混合給湯通路である配管１７が接続している。
【００３０】
なお、混合弁１６はサーボモータ等の駆動源により弁体を駆動する電動弁であり、後述する制御装置２００からの制御信号により作動するとともに、作動状態を制御装置２００に出力するようになっている。
【００３１】
導出管１４には、この管から分岐する導出管２４が接続されている。この導出管２４と給水配管１５から分岐した給水配管２５との合流点には、混合弁２６が設けられている。そして、混合弁２６は開口面積比を調節することにより、導出管２４からの高温の湯と給水配管２５からの水道水との混合比を調節できるようになっている。
【００３２】
なお、混合弁２６も混合弁１６と同様に、サーボモータ等の駆動源により弁体を駆動する電動弁であり、後述する制御装置２００からの制御信号により作動するとともに、作動状態を制御装置２００に出力するようになっている。
【００３３】
混合弁２６の出口側にはシャワーを備える混合栓２８等への混合給湯通路である配管２７が接続している。配管２７には図示しない温度検出手段である給湯サーミスタと流量検出手段である流量カウンタが設けられており、配管２７内の温度情報および流量情報を後述する制御装置２００に出力するようになっている。
【００３４】
貯湯タンク１の下面には、貯湯タンク１内の水を吸入するための吸入口１８が設けられ、貯湯タンク１の上面には、貯湯タンク１内に湯を吐出する吐出口１９が設けられている。吸入口１８と吐出口１９とは循環回路２０で接続されており、循環回路２０の一部はヒートポンプユニット２内に配置されている。
【００３５】
循環回路２０のヒートポンプユニット２内に配置された部分には、図示しない熱交換器が設けられており、吸入口１８から吸入した貯湯タンク１内の水を高温冷媒との熱交換により加熱し、吐出口１９から貯湯タンク１内に戻すことにより貯湯タンク１内の水を沸き上げることができるようになっている。
【００３６】
ヒートポンプユニット２は、本実施形態における加熱手段である。なお、ヒートポンプユニット２は後述する制御装置２００からの制御信号により作動するとともに、作動状態を制御装置２００に出力するようになっている。
【００３７】
貯湯タンク１の下部外壁面には、貯湯タンク１内下部の水温を検出する図示しない入水サーミスタが設けられており、導入口１１から導入された水の温度情報を後述する制御装置２００に出力するようになっている。また、貯湯タンク１の上部外壁面には、貯湯タンク１内上部の水温を検出する図示しない出湯サーミスタが設けられており、導出口１３から導出される湯の温度情報を後述する制御装置２００に出力するようになっている。
【００３８】
なお、加熱手段であるヒートポンプユニット２が循環回路２０に設けられた図示しない熱交換器により循環回路２０内の水を加熱するときには、制御装置２００は、入水サーミスタからの温度情報に基づいてヒートポンプユニット２を作動制御するようになっている。
【００３９】
さらに、貯湯タンク１の外壁面には図示しない複数の水位サーミスタが縦方向にほぼ等間隔に配置され、貯湯タンク１内に満たされた水の各水位レベルでの温度情報を後述する制御装置２００に出力するようになっている。
【００４０】
例えば、容量３００Ｌの貯湯タンク１の外壁面に５つの水位サーミスタを設けた場合には、容量５０Ｌ刻みの水位レベルの温度情報を出力し、貯湯タンク１内上方の沸き上げられた湯と貯湯タンク１内下方の沸き上げられる前の水との境界面を５０Ｌ刻みで検出できるようになっている。
【００４１】
浴槽５０には、浴槽５０内の浴水を循環する浴水循環回路６１が接続している。浴水循環回路６１は、貯湯タンク１内の上部に配設された螺旋形状の蛇管からなる追い焚き用熱交換器６０に浴水を循環するためのものであって、浴槽５０内の浴水を熱交換器６０の上流端に導く往き管６２と、熱交換器６０で熱交換された浴水を浴槽５０内に導く戻り管６３、およびバイパス管６４から構成されている。
【００４２】
その往き管６２には、上流側から順に、水圧スイッチ（水位センサ）６５、開閉弁６６、浴水循環手段としての浴水循環ポンプ６７、浴水温サーミスタ（風呂循環温サーミスタ）６８、流水スイッチ（フロースイッチ）６９、および追い焚き三方弁７０が設けられている。また、戻り管６３には、下流側部に追い焚き検知サーミスタ７１が設けられている。
【００４３】
水圧スイッチ６５は、浴槽５０内に湯張りされた浴水の湯量、言い換えれば浴槽５０内の水位レベルを求めるための水圧を検出するセンサである。開閉弁６６は浴水循環回路６１を開閉する電磁弁であり、浴水循環ポンプ６７は浴槽５０内の浴水を追い焚き用熱交換器６０に圧送するための電動ポンプである。また、浴水温サーミスタ６８は、往き管６２を流通する浴水の湯温を検出する水温センサである。
【００４４】
流水スイッチ６９は、追い焚き三方弁７０側の方向に浴水および後述する給湯用水が流通しているか否かを検出するための流水センサである。追い焚き三方弁７０は、浴水の流通方向を追い焚き用熱交換器６０方向と、追い焚き用熱交換器６０を迂回するバイパス管６４方向とのいずれか一方に切り替えるための切替弁である。追い焚き検知サーミスタ７１は、戻り管６３を流通する浴水の湯温を検出する水温センサであり、浴槽５０内に戻る浴水の温度を検出する。
【００４５】
なお、水圧スイッチ６５、流水スイッチ６９、浴水温サーミスタ６８および追い焚き検知サーミスタ７１は、それぞれ検出した容積情報（圧力情報）、流水情報および温度情報のいずれかを後述する制御装置２００に出力するようになっている。また、開閉弁６６、浴水循環ポンプ６７および追い焚き三方弁７０は制御装置２００により制御されるようになっている。
【００４６】
そして、湯張り後に浴槽５０内の浴水の温度を検出するときは、追い焚き三方弁７０をバイパス管６４側に流通方向を切り換えるとともに、浴水循環ポンプ６７を作動させることで、浴槽５０内の浴水が往き管６２上流側部、バイパス管６４、戻り管６３下流側部、浴槽５０内の順に循環されて浴水温サーミスタ６８により浴水の湯温を検出するようになっている。
【００４７】
前述の混合給湯通路である配管１７の下流端は、浴水循環回路６１の往き管６２に合流点６２ａにおいて接続している。そして、この配管１７には、上流側から順に、湯張り用開閉弁５７、湯張り用流量カウンタ５８、逆止弁５９が設けられている。
【００４８】
湯張り用開閉弁５７は、後述する制御装置２００により制御され、配管１７の経路を開閉する電磁弁である。また、湯張り用流量カウンタ５８は配管１７内を流れる湯流量を検出するものであり、湯張り用流量カウンタ５８は検出した流量情報を後述する制御装置２００に出力するようになっている。そして、逆止弁５９は浴水循環回路６１内の浴水が配管１７側に侵入することを防止するための弁である。
【００４９】
１００は制御条件設定・表示を行なうための操作盤（リモコン）であり、貯湯モードスイッチ１２１、昇温スイッチ１２２、アップスイッチ１２３、ダウンスイッチ１２４等の各種操作スイッチの信号を後述する制御装置２００に出力するとともに、制御装置２００からの制御信号により表示手段である表示部１１０の表示を行なうようになっている。操作盤１００は、本実施形態において給湯に関連する制御条件を操作入力する操作入力手段である。
【００５０】
また、２００は制御手段である制御装置であり、各サーミスタからの温度情報、流量カウンタからの流量情報、流水スイッチからの流水情報、水位センサからの圧力情報、操作盤１００に設けられた操作スイッチ１２１〜１２４からの信号等に基づいて、ヒートポンプユニット２、各弁１６、２６、５０、６６、７０、循環ポンプ６７および操作盤１００の表示部１１０等を制御するように構成されている。
【００５１】
次に、上記構成に基づき本実施形態の給湯装置の作動について説明する。図２は、制御装置２００の概略制御動作を示すフローチャートである。
【００５２】
図２に示すように、制御装置２００は、給湯装置に給電されているときには、入力情報に基づいて、沸き上げ制御３００、給湯制御４００、湯張り制御５００、昇温・保温制御６００等を実行するようになっている。
【００５３】
制御装置２００が沸き上げ制御３００を実行するときには、ヒートポンプユニット２内の図示しない循環ポンプを運転し、循環回路２０内に吸入口１８から吐出口１９に向かう水流を形成する。また、制御装置２００は、図示しない入水サーミスタからの温度情報に基づいてヒートポンプユニット２を作動制御し、循環回路２０を通過する水を加熱する。
【００５４】
そして、設定された温度の高温の湯を貯湯タンク１内の上部から順次貯留していく。図示しない水位サーミスタからの温度情報に基づき、貯湯タンク１内に設定量の湯が貯留されたら、沸き上げ制御を完了する。
【００５５】
なお、沸き上げ制御において沸き上げられる湯量は、ユーザが操作盤１００で設定した貯湯モードにより設定される。
【００５６】
具体例としては、操作盤１００の貯湯モードスイッチ１２１が操作され、「湯量多め」、「標準」、「省エネ」のうち所望のモードがアップスイッチ１２３、ダウンスイッチ１２４により選択された後、再度貯湯モードスイッチ１２１が操作されて、貯湯モードが確定される。
【００５７】
ここで、「湯量多め」貯湯モードは、比較的多量である所定量の湯、もしくは過去の使用実績量に対し余裕量を大きく確保した量の湯を貯留するモードであり、「省エネ」貯湯モードは、比較的少量である所定量の湯、もしくは過去の使用実績量に対し余裕量をあまり確保しない量の湯を貯留するモードである。また、「標準」貯留モードは、「湯量多め」貯留モードと「省エネ」貯留モードとの中間量の湯を貯留するモードである。
【００５８】
制御装置２００が給湯制御４００を実行するときには、混合弁２６の開口面積比を調節して、導出管１４、２４を介して貯湯タンク１内から出湯された高温の湯と給水配管１５、２５を介して供給された水道水とを混合し、配管２７を介して設定温度の湯を混合栓２８側に送る。なおこのとき、図示しない給湯サーミスタからの温度情報に基づいて混合弁２６の開口面積比を詳細に制御する。
【００５９】
制御装置２００が湯張り制御５００を実行するときには、開閉弁５７を開弁し、三方弁７０により流路をバイパス管６４側とする。そして、混合弁１６の開口面積比を調節して、導出管１４を介して貯湯タンク１内から出湯された高温の湯と給水配管１５を介して供給された水道水とを混合し、配管１７、往き管６２の一部、バイパス管６４、戻り管６３の下流側部を介して設定温度の湯を浴槽５０内に送る。
【００６０】
このとき、制御装置２００は、水圧スイッチ６５からの圧力情報に基づいて浴槽５０内の水位レベルを監視し、水位レベルが設定レベルとなったときに開閉弁５７を閉弁して、浴槽５０内への湯張りを完了する。
【００６１】
なお、浴槽５０内への湯張りを行なうときには、循環ポンプ６７を停止しているので、開閉弁６６も開弁して、往き管６２の上流側部も介して速やかに湯張りを行なうものであってもよい。
【００６２】
次に、制御装置２００が実行する昇温・保温制御６００について説明する。図３は、制御装置２００の昇温・保温制御の概略制御動作を示すフローチャートである。
【００６３】
図３に示すように、制御装置２００は、まず、浴槽５０内の浴水の昇温の指令が入力されたか否か監視する（ステップ６１０）。ここで、昇温の指令とは、操作盤１００の昇温スイッチ（所謂追い焚きスイッチ）１２２が操作されることであるが、図示しない風呂自動スイッチ等により湯張りされた浴槽５０内の浴水の保温が設定され、前述した浴水の湯温検出により浴水昇温の必要ありと判断された場合等も含むものである。
【００６４】
ステップ６１０において昇温の指令があると判断した場合には、操作盤１００において設定されている貯湯モードを判定する（ステップ６２０）。
【００６５】
貯湯モードが「湯量多め」および「標準」である場合には、ステップ６３０に進み、追い焚き制御を実行する。
【００６６】
制御装置２００が追い焚き制御を実行するときには、開閉弁６６を開弁するとともに、三方弁７０を熱交換器６０側に開き、循環ポンプ６７を作動する。これにより、図４に示すように、浴槽５０内の浴水を、往き管６２、熱交換器６０、戻り管６３、浴槽５０の経路で循環し、熱交換器６０において貯湯タンク１内の高温の湯と熱交換して加熱された浴水により浴槽５０内の浴水が昇温される。
【００６７】
ここで、熱交換器６０および浴水循環回路６１（往き管６２および戻り管６３）からなる追い焚き回路６０Ａが、本実施形態における追い焚き手段である。
【００６８】
制御装置２００は、浴水温サーミスタ６８からの温度情報に基づいて、浴槽５０内の浴水温が所定温度にまで昇温したと判断したら追い焚き制御を完了し、ステップ６１０にリターンする。
【００６９】
ステップ６２０において貯湯モードが「省エネ」であると判断した場合には、ステップ６４０に進み、差し湯制御を実行する。
【００７０】
制御装置２００が差し湯制御を実行するときには、開閉弁５７を開弁するとともに、三方弁７０をバイパス管６４側に開く。これにより、図５に示すように、配管１７、往き管６２の一部、バイパス管６４、戻り管６３の下流側部を介して貯湯タンク１内の高温の湯が浴槽５０内に送られ、浴槽５０内の浴水が昇温される。
【００７１】
ここで、配管１７、往き管６２の一部、バイパス管６４および戻り管６３の下流側部からなる注湯回路１７Ａが、本実施形態における差し湯手段である。
【００７２】
制御装置２００は、浴槽５０内の浴水温が所定温度にまで昇温したと判断したら差し湯制御を完了し、ステップ６１０にリターンする。
【００７３】
上述の構成および作動によれば、制御装置２００は、浴槽５０内の浴水を昇温するときに、操作盤１００から入力された貯湯モードに応じて、追い焚きによる昇温と差し湯による昇温とを切り替えている。具体的には、「湯量多め」、「標準」が設定されているときには追い焚き昇温を、「省エネ」が設定されているときには差し湯昇温を行なうようになっている。
【００７４】
貯湯モードは貯湯タンク１内に貯湯する熱量に関する制御条件であり、操作盤１００を操作して「省エネ」を選択したユーザは、「湯量多め」や「標準」を選択したユーザに比較して省エネルギー志向が強い場合が多い。
【００７５】
したがって、省エネルギー志向が強いユーザであると推察される場合には、追い焚き昇温より省エネルギー性に優れる差し湯による昇温を行なうことができる。これにより、省エネルギー志向のユーザが、ＣＯＰ（エネルギー消費効率）が差し湯より低い追い焚きにより浴水昇温が行なわれ不快を感じることを防止することができる。
【００７６】
また、省エネルギー志向が比較的弱いユーザであると推察される場合には、浴水量を増加させない追い焚きにより昇温を行なうことができる。これにより、熱交換による追い焚き機能を有する給湯装置を使用する省エネルギー志向が比較的弱いユーザが、浴水昇温時に浴水量が増加して不快を感じることを防止できる。
【００７７】
このようにして、浴水を昇温するときに、ユーザの不快感を抑制しつつ（ユーザが不快を感じ難い範囲で）エネルギー消費効率を向上することが可能である。
【００７８】
（第２の実施形態）
次に、第２の実施形態について図６ないし図７に基づいて説明する。
【００７９】
本第２の実施形態は、前述の第１の実施形態と比較して、浴水の追い焚き昇温と差し湯昇温とを自動的に切り替え制御する点が異なる。なお、第１の実施形態と同様の部分については、同一の符号をつけ、その説明を省略する。
【００８０】
図６にフローチャートを示すように、本実施形態では、制御装置２００は、ステップ６１０において昇温の指令があると判断した場合には、給湯装置の当月の使用電力量（積算電力量）を算出する（ステップ６５０）。
【００８１】
そして、次に、算出した当月の使用電力量の傾向と、過去月（例えば先月もしくは前年同月）の使用電力量の実績値の傾向とを比較する（ステップ６６０）。
【００８２】
ステップ６６０において当月の使用電力量の傾向が過去月の使用電力量の実績値の傾向より少ないと判断した場合には、ステップ６３０へ進み追い焚き制御を実行する。当月の使用電力量の傾向が過去月の使用電力量の実績値の傾向より多いと判断した場合には、ステップ６４０へ進み差し湯制御を実行する。
【００８３】
すなわち、給湯装置の使用電力量のペースを基準とし、当月が過去月に対し少量傾向であれば、省エネルギー性を重視する設定状態ではないとして追い焚き昇温を行ない、当月が過去月に対し多量傾向であれば、省エネルギー性を重視する設定状態であるとして差し湯昇温を行なう。
【００８４】
図７は、本実施形態の給湯装置の浴水昇温における作動例を示したものである。図７に示すように、過去月（ここでは前年同月）の使用電力量の傾向（傾き）に対し、当月の使用電力量が下回っている場合には追い焚き制御を、上回っている場合には差し湯制御を行なっている。
【００８５】
上述の作動によれば、制御装置２００は、現在の使用電力量が過去の使用電力量の実績値との比較において多量であると判断した場合に、省エネルギー性を重視して差し湯昇温を行なうことができる。
【００８６】
したがって、過去の使用電力量の実績を超えない範囲であれば追い焚き保温を行なうことができる。また、過去の使用電力量の実績を超えた場合には差し湯保温により省エネルギーを行なうことができる。
【００８７】
このようにして、浴水を昇温するときに、ユーザの不快感を抑制しつつエネルギー消費効率を向上することが可能である。
【００８８】
なお、本実施形態では、当月の使用電力量と過去月の使用電力量とを比較していたが、過去の使用エネルギー量の実績値と現在の使用エネルギー量とを比較するものであればよく、例えばＣＯＰそのものを比較するものであってもよい。また過去の使用エネルギー量の実績関連値と現在の使用エネルギー量の関連値とを比較とを比較するものでもよく、例えば使用電気料金を比較するものであってもよい。
【００８９】
また、本実施形態では、現在の使用電力量が過去の使用電力量の実績値との比較において多量であると判断した場合には、省エネルギー性を重視して差し湯昇温を行ない、現在の使用電力量が過去の使用電力量の実績値との比較において少量であると判断した場合には、浴水を増加させない追い焚き昇温を行なっていたが、一度差し湯昇温を行なった後は、ユーザが昇温に伴なう浴水の増加を認識していると考えられるので、使用電力量に係わらず差し湯昇温を行なうものであってもよい。
【００９０】
（他の実施形態）
上記第１の実施形態では、制御装置２００は、操作盤１００から入力される貯湯タンク１内の貯湯熱量に関する制御条件である貯湯モード「湯量多め」、「標準」、「省エネ」の選択に基づいて、ユーザが省エネルギー志向であるか否か（省エネルギー性を重視する設定状態であるか否か）を判断し、差し湯昇温と追い焚き昇温とを切り替えていたが、これに限定されるものではない。
【００９１】
例えば、２つもしくは４つ以上の選択肢の中から選択するものであってもよいし、貯湯量を直接選択あるいは入力するものであってもよい。
【００９２】
また、操作盤１００から入力される制御条件のうち、貯湯量（貯湯モード）以外の省エネルギーもしくはそれに関連する制御条件に基づいて、省エネルギー性を重視すべきであるか否かを判断するものであってもよい。例えば、浴水昇温・保温において省エネモードを選択するスイッチを設け、このスイッチ操作に基づいて省エネルギー性を重視すべきであるか否かを判断するものであってもよい。
【００９３】
これによっても、制御装置２００は、操作盤１００での操作入力において、省エネルギーもしくはそれに関連する制御条件が入力された場合にはユーザは省エネルギー志向である（省エネルギー性を重視する設定がなされている）とし、省エネルギーもしくはそれに関連する制御条件が入力されていない場合にはユーザは比較的省エネルギー志向でない（省エネルギー性を重視する設定がなされていない）として、差し湯昇温と追い焚き昇温とを切り替えることができる。
【００９４】
また、上記第２の実施形態では、操作盤１００における制御条件の操作入力に係わらず、制御装置２００が、現在の使用電力量が過去の使用電力量の実績値との比較において多量であると判断した場合には、省エネルギー性を重視して差し湯昇温を行ない、現在の使用電力量が過去の使用電力量の実績値との比較において少量であると判断した場合には、浴水を増加させない追い焚き昇温を行なっていたが、操作盤１００における制御条件の操作入力に基づいてユーザが省エネルギー志向であると判断した場合に、過去の使用エネルギー量の実績値と現在の使用エネルギー量との比較に基づいて、追い焚き昇温と差し湯昇温とを切り替えるものであってもよい。
【００９５】
すなわち、操作盤１００から入力された省エネルギーもしくはそれに関連する制御条件に加え、過去の使用エネルギー量の実績値と現在の使用エネルギー量との比較に基づいて、省エネルギー性を重視する設定状態であるか否かを判断するものであってもよい。
【００９６】
これによると、制御装置２００は、ユーザが省エネルギー志向であるとともに、現在の使用エネルギー量が過去の使用エネルギー量の実績値との比較において多量であると判断した場合に、省エネルギー性を重視して差し湯昇温を行なうことができ、ユーザの不快感を抑制しつつエネルギー消費効率を向上することが可能である。
【００９７】
また、上記各実施形態では、給湯装置はヒートポンプ装置を加熱手段とする貯湯式の給湯装置であったが、これに限定されるものではない。例えば、電気ヒータを加熱手段とする貯湯式の給湯装置であってもよい。
【図面の簡単な説明】
【００９８】
【図１】本発明を適用した第１の実施形態における給湯装置の概略構成を示す模式図である。
【図２】第１の実施形態における制御装置２００の全体概略制御動作を示すフローチャートである。
【図３】第１の実施形態における制御装置２００の昇温・保温制御の概略制御動作を示すフローチャートである。
【図４】追い焚き制御を実行したときの作動説明図である。
【図５】差し湯制御を実行したときの作動説明図である。
【図６】第２の実施形態における制御装置２００の昇温・保温制御の概略制御動作を示すフローチャートである。
【図７】第２の実施形態における浴水昇温における作動制御切替例を示すグラフである。
【図８】（ａ）、（ｂ）は、貯湯タンク内の湯と浴水との熱交換を行なった状態を説明するための要部説明図である。
【図９】（ａ）、（ｂ）は、貯湯タンク内の湯を浴槽内に注湯した状態を説明するための要部説明図である。
【符号の説明】
【００９９】
１  貯湯タンク
２  ヒートポンプユニット（加熱手段）
１７Ａ  注湯回路（差し湯手段）
５０  浴槽
６０Ａ  追い焚き回路（追い焚き手段）
１００  操作盤（操作入力手段）
２００  制御装置（制御手段）
６３０  追い焚き制御
６４０  差し湯制御
【図１】
2006308178.tif 000003
【図２】
2006308178.tif 000004
【図３】
2006308178.tif 000005
【図４】
2006308178.tif 000006
【図５】
2006308178.tif 000007
【図６】
2006308178.tif 000008
【図７】
2006308178.tif 000009
【図８】
2006308178.tif 000010
【図９】
2006308178.tif 000011